(57)【要約】      （修正有）【課題】動物の動きの中で動物に生じる不快を最小限とし且つ動物の怪我を防止しながらシャフト変形の問題を克服することができる、動物識別器具と試料採取部材とを備える動物識別システムを提供する。【解決手段】識別用具は、支持部１１から延出し、雌部品に挿入され、識別用具を動物にしっかり取り付けるように意図されたロックヘッド１２２で終端するシャンク１２を備える。シャンクには、動物組織試料採取部材を通すことができる縦軸方向のチャネルが貫通している。シャンクは、シャンクの中央と、ヘッド１２４の遠位端との間に位置して、管内に突出する少なくとも１つの当接要素１３を含む硬直手段を備える。当接要素は、動物組織を採取するときに試料採取部材の少なくとも１つの支承要素を支えることができる支承領域を画成する。試料採取部材は、雄部品の当接要素と相補形である少なくとも１つの支承要素を備える。【選択図】図１
0003215824.tif 000002
【実用新案登録請求の範囲】
【請求項１】
動物を識別するための識別用具と、動物組織試料採取部材とを備える動物識別システムであって、
前記識別用具は、ベース（１１；４１）から延出し、雌部品に挿入して前記識別用具を動物にしっかり取り付けるように設計されたロックヘッド（１２２；４２２）で終端するシャフト（１２；４２）を備え、前記シャフトには、前記動物組織試料採取部材を通すことができる縦軸方向のチャネルが貫通しており、
前記シャフト（１２；４２）は、前記シャフトの中央と前記ヘッドの遠位先端との間に位置し且つ前記チャネル内に突出する少なくとも１つの当接要素（１３；４３）を備え、前記少なくとも１つの当接要素は、動物組織の試料が採取されるときに前記試料採取部材の少なくとも１つの支承要素を支えることができる支承領域を画成し、
前記試料採取部材は、雄部品の前記少なくとも１つの当接要素と相補形をなす少なくとも１つの前記支承領域を備え、
前記試料採取部材の前記少なくとも１つの支承要素と前記遠位先端の間の距離は、前記少なくとも１つの支承要素が前記少なくとも１つの当接要素に当たるときに試料採取用の前記遠位先端が前記雄部品の前記シャフトから突出するように定められている
ことを特徴とする動物識別システム。
【請求項２】
前記シャフトの本体が、少なくとも部分的に変形可能な材料で作られることを特徴とする請求項１に記載の動物識別システム。
【請求項３】
前記チャネルは、異なる区画を有する少なくとも２つの部分を備え、前記少なくとも１つの当接要素は、前記異なる区画を有する部分の間の移行領域に対応することを特徴とする請求項１および２のいずれか一方に記載の動物識別システム。
【請求項４】
前記異なる区画が円筒状で同心であることを特徴とする請求項３に記載の動物識別システム。
【請求項５】
前記異なる区画を有する部分の前記シャフトの前記本体を形成する前記材料の厚さがほぼ一定であることを特徴とする請求項３および４のいずれか一方に記載の動物識別システム。
【請求項６】
前記ヘッドと前記移行領域との間の距離は、前記雄部品と前記雌部品が嵌めあわされるときに、前記シャフトの本体を形成する前記移行領域の前記材料が前記雌部品の前記ベースと当接するような距離であることを特徴とする請求項５に記載の動物識別システム。
【請求項７】
前記ヘッドは、前記シャフトの本体を形成する前記材料の硬度よりも大きい硬度を有するインサートを備えることを特徴とする請求項１〜６のいずれか１項に記載の動物識別システム。
【請求項８】
前記インサートが切頭円錐であり、前記切頭円錐の底部の一部が前記少なくとも１つの当接要素を画成することを特徴とする請求項７に記載の動物識別システム。
【請求項９】
前記インサートが少なくとも１つの凹部を備えることを特徴とする請求項７および８のいずれか一方に記載の動物識別システム。
【請求項１０】
前記支承要素が前記試料採取部材の針にしっかり取り付けられたリングであることを特徴とする請求項１〜９のいずれか１項に記載の動物識別システム。
【考案の詳細な説明】
【技術分野】
【０００１】
本考案の分野は、動物の識別および／またはタグ付けの分野である。
【０００２】
更に具体的には、本考案は、任意の動物種に視覚的および／または電子的識別タグを付けるために使用できる動物識別システムに関する。
【０００３】
特に本考案は、組織資料採取部材を通すことができる縦軸方向の貫通チャネルを備える、動物識別用具とも呼ばれる動物識別タグの雄部品に関する。
【０００４】
このように組織試料を採取することによって、例えば、後から動物を特定したり、動物の病気を検出したりするために、特に生物学的特性または生化学的特性を有する細胞／組織を保存することができる。
【背景技術】
【０００５】
特に家畜の追跡を改善し、（例えば、疾病動物の排除または単一の遺伝的特徴の探索による）生産性を向上させ、および／または、（例えば、病気を検出することによる）消費用動物の原産地を保証するために、関係動物から組織サンプルを採取する作業を１つ以上実行することが次第に慣例となってきている。
【０００６】
（例えば、誕生時に）動物を識別するための識別タグをつける際に動物から試料を採取できる。例えば病気を検出したり、ＤＮＡ配列の比較による動物の同一性を証明したり、動物の遺伝的な価値を評価したりするための他の組織試料も、動物の生涯にわたって採取可能である。動物組織の試料は、一旦収集されれば、保存することができ、および／または、分析のために検査室に送ることができる。
【０００７】
タグを付けるのと同時に試料を採取する場合、試料採取部材を通すために用いられる末端間を貫通するチャネルを有する雄部品を用いる周知方法が存在する。
【０００８】
この例によれば、雄部品は、ベースから延出し、円錐台状の先端部で終端するシャフトを備える。（頭部が切られた先端部を含む）シャフトは中空で、試料採取針を通すことができる縦軸方向のチャネルを画成する。
【０００９】
装着サポート部によって、タグを付けるまたはタグ付けクランプの顎部に固定される当該試料採取針は、タグを付けた後に引っ込めることができる。試料採取針の刃先は略円形で、タグを付けるときに動物の皮膚を穿刺するように雄シャフトの先端から突出している。
【００１０】
そのため、タグを付けるとき、針が動物の皮膚を穿刺し、次いで、シャフトの先端部が雌部品の空洞に導入されて雄部品と雌部品を不可逆的に接合させる。
【００１１】
いったんタグが付けられると、シャフトからスライドさせることによって針を引っ込めることができ、刃先に切り取られて針の中に残っている組織試料を回収できる。
【００１２】
これら従来技術のタグは、動物の移動時に、動物に起こりうる不快が最小限ですむように、また、動物に怪我をさせないように、可撓性のプラスチックで作られることが好ましい。変形可能な材料を使用することにより、例えば、動物の耳に装着されたタグがフェンスや枝等に引っかかった時に起こりうる動物の耳の裂傷が防止される。
【００１３】
これらのタグの欠点の１つは、タグにとって望ましい可撓性が、タグが付けられるときおよび／または組織試料が採取されるときに問題を引き起こすことである。実際に、使用される変形可能材料のために、タグを付けるときにシャフトが変形する場合がある。より具体的には、切頭円錐状の先端が動物と接触するときにシャフトが圧縮される傾向にある。シャフトは特に座屈によって変形して折れ曲がりを生じる。そうすると、この折れ曲がりの高さでシャフトが雌部品を貫通しにくくなり、もはやタグの信頼性（ｉｎｖｉｏｌａｂｉｌｉｔｙ）は完全には保証されない。シャフトの先を形成する先端が雌部品を貫通しそこなうということが起こり得る。そのためタグは使用不可能となる。また、折れ曲がりによって動物の耳の治癒が妨げられることがある。
【００１４】
この問題は、組織試料を採取できないタグには存在しない。実際に、この種のタグでは、一般に金属で作られ、タグを付けるタグ付けツールにしっかり装着された細いロッドがタグの雄部品のシャフト内に挿入され、タグが付けられるときにシャフトを硬直または剛直させる。
【００１５】
しかし、この方法は、中空シャフト（すなわち端部間の縦軸方向貫通チャネル）を有し且つ組織試料を採取するように設計されたタグには適用できない。
【００１６】
そこで、動物の動きの中で動物に生じる不快を最小限とし且つ動物の怪我を防止しながらこのシャフト変形の問題を克服することができる、新しいタイプの組織試料採取用タグが必要とされている。
【考案の概要】
【００１７】
本考案は、ベースから延出して、識別用具を動物にしっかり取り付けるために雌部品に挿入されるように設計されたロックヘッドで終端するシャフトまたはステムを備える、従来技術のこれらの全部の欠点を有しない、動物識別用具の雄部品の形態の新たなソリューションを提案する。
【００１８】
本考案によれば、シャフトは、動物組織試料を採取するための試料採取部材を通すことができる縦軸方向のチャネルが貫通されており、その縦軸に沿ってシャフトを固くすることができる硬直手段を備える。そのような硬直手段は、シャフトの中央とヘッドの遠位先端（すなわち、ヘッドのベースと反対側）との間に位置してチャネル内に突出する少なくとも１つの当接要素を備え、１つまたは複数の当接要素は、動物組織が採取されるときに試料採取部材の少なくとも１つの支承要素を支持できる支承領域を画成する。
【００１９】
本考案は、動物組織の試料を採取して同時にタグを付けるすなわち装着するのに使用される動物識別タグ／動物識別用具の雄部品のための、タグ付け作業を最適化できる新たなソリューションを提供する。
【００２０】
特に本考案は、その主要な試料採取機能を損なうことなくシャフトをその縦軸方向に沿って硬直させるようになっている手段を提供する。そのような硬直手段は、タグの装着時に、ロックヘッドからシャフトベースへのその縦軸に沿ったシャフトの変形を一時的に防止するように構成される。そのような硬直手段は、例えば、つま先部、チャネルの狭まり等の形態をとる少なくとも１つの当接要素を備える。
【００２１】
したがって、タグが付けられるとき、本考案は、動物の皮膚（例えば、耳の皮膚と軟骨）を穿刺するように設計された試料採取部材の周囲で折れ曲がりや隆起が生じることによる座屈がシャフトに起こらないようにするものである。
【００２２】
このように、これら折れ曲がりの存在による空気循環の妨害がないため、動物の怪我がより速やかに癒される。また、正確に閉じてタグの信頼性を保証するのに十分な長さで雄部品のシャフトを雌部品に嵌め込むことができる。
【００２３】
本考案の１つの特有の特徴により、シャフトの本体は、少なくとも部分的に変形可能な材料（例えば、ポリウレタン）で作られる。
【００２４】
そのため、シャフトのベースとロックヘッドのベースの間にあるシャフトの本体は、タグ付け／組織採取作業時のみ硬直される。これらの作業が終わると、試料採取部材は雄部品のシャフトから取り外され、そもため、その柔軟性を回復する。
【００２５】
慣例的にロックヘッドは、雌部品への挿入後の離脱を防止するように変形不能な材料で作られることが好ましい。
【００２６】
ほぼ垂直にシャフトが延出するベースも、少なくとも部分的に変形可能な材料で作ることができることに注意されたい。このように、シャフトのベース（より大きなサイズまたはより小さなサイズものとすることができる）は変形可能であり、したがって、ベースがフェンス、枝等に引っかかったときに起こりうる動物の皮膚（例えば、その耳）の裂傷を防止する。
【００２７】
１つの特別な実施形態によれば、前記チャネルは、異なる区画（ｓｅｃｔｉｏｎ）を有する少なくとも２つの部分を備え、当接要素は、異なる区画を備える上記部分の間の移行領域に対応する。
【００２８】
詳細には、前記チャネルの異なる区画を有する部分は、円筒状で同心である。
【００２９】
したがって、移行領域は、雄シャフトの本体を硬直させるために試料採取要素の少なくとも１つの支承要素を支持できる冠状の表面領域を画成する。
【００３０】
詳細には、雄部品のシャフトのベースからロックヘッドに向かって、移行領域の前に位置する部分は、移行領域の後に位置する部分よりも大きな直径の円形断面を備える。
【００３１】
この特定実施形態によれば、異なる区画を有する部分のシャフトの本体を形成する材料の厚さはほぼ一定とすることができる。
【００３２】
したがって、雄シャフトの外側シースはチャネルの形状にしたがい、雄シャフトは、その本体に沿って異なる区画を有する少なくとも２つの部分を備える。
【００３３】
そのため、シャフトが延出するベースとロックヘッドのベースの間の雄シャフトの厚さはほぼ一定であり、したがって、シャフトを作るために使用される材料の量を限定する。
【００３４】
詳細には、ヘッドと移行領域との間の距離は、雄部品と雌部品が嵌めあわされるときに、シャフトの本体を形成する移行領域の材料が雌部品のベースと当接するようになっている。
【００３５】
雄シャフトはロックヘッドのベースと移行領域の間にブロック領域を画成し、したがって、雌部品の入口孔にある保持リングをブロックする。
【００３６】
このように、本システムは、雌部品内で更に効果的に雄部品をブロックする。
【００３７】
一変形例として、シャフトベースから雄部品のロックヘッドへ向かって、移行領域の前に位置する部分のシャフトの本体を形成する材料の厚さは、移行領域の後に位置する部分のシャフトの本体を形成する材料の厚さよりも小さい、
【００３８】
このように、雄シャフトの本体は、ほぼ円筒状の形状／外側シースを有する。
【００３９】
別の特定実施形態によれば、ロックヘッドは、シャフトの本体を形成する材料の硬度よりも大きい硬度を有するインサートを備える。
【００４０】
雌部品に挿入された後にロック部品がはずれないようにインサートは変形不能な材料で作られ、タグの信頼性を向上させる。
【００４１】
既に示されたように、その部分のためのシャフトの受け部および／またはシャフトのベースは、変形可能な材料で作ることができる。
【００４２】
詳細には、インサートは切頭円錐であり、この切頭円錐の底部の一部が移行領域を画成する。
【００４３】
そのようなインサートは、特に、動物素質の試料を採取するための試料採取部材を通すことができる縦軸方向のチャネルが端から端まで貫通している。
【００４４】
別の独特な特徴によれば、インサートは少なくとも１つの凹部を備える。
【００４５】
このように、例えば、インサート上でシャフト（必要ならば、シャフトのベース）にオーバーモールド処理を施すことによって、雄部品を簡単に作ることができる。シャフトに使用される材料、例えばポリウレタン、は、インサートをシャフトの受け部にしっかり取り付けるように、インサートの１つまたは複数の凹部に流し込まれる。
【００４６】
詳細には、シャフトが延出するベースは、動物の識別子を記すマーキング面を備える。見えるようにするために、このマーキング面は外向きの面、すなわち、雄シャフトと反対の側に向いた面に設けられることが好ましい。
【００４７】
例えば、そのようなシャフトベースは、円板形をとることもできるし、あるいは、当業者に周知の特徴にたがって、牛用の大きなサイズまたは羊用の小さなサイズとした略長方形のマーキング面を画成する延長部を備えることもできる。したがって、シャフトのベースは、タグを付ける動物の種類に応じて種々の大きさにすることができる。
【００４８】
動物の識別子は、例えば、英数字コード、バーコード、マトリックス等の形をとる視覚的な識別子であってもよいし、トランスポンダ等の電子的な識別子であってもよい。
【００４９】
本考案は、上述のように雄部品のシャフトの縦軸方向チャネルに少なくとも部分的に挿入できる試料採取部材に関する。
【００５０】
本考案よれば、そのような試料採取部材は、雄部品の当接要素と相補形をなす少なくとも１つの支承領域を備える。
【００５１】
詳細には、試料採取部材の支承要素と試料採取用の遠位先端との間の距離は、支承要素が当接要素に当たるときに試料採取用の遠位先端が雄部品のシャフトから突出するように定められる。
【００５２】
換言すると、試料採取部材の支承要素と試料採取用の遠位先端との間の距離は、雄部品の当接要素とロックヘッドの遠位先端との間の距離よりもりもわずかに（約２ｍｍ）大きい。
【００５３】
そのような試料採取部材は、生検針タイプの試料採取要素、チップタイプ内で終端する細いロッド、または組織の試料を採取するのに使用されるいずれか他の要素を備える。試料採取用の遠位先端は、針の切断リッジ、チップの先端等に対応している。したがって、そのような試料採取要素は「針」と呼ばれる。
【００５４】
例えば、前記支承要素は、前記試料採取部材の針にしっかり取り付けられたリングである。
【００５５】
そのような部材は、試料採取作業のために針を取り扱えるようにし、タグ付けツールに針をしっかり装着できるようにする装着サポート部も備えることが有利である。
【００５６】
場合により、そのような試料採取部材は、組織試料が採取されたら組織試料を針から押し出せるようにする、針の縦軸方向チャネルに収容されるプッシャー要素を備える。
【００５７】
本考案による支承要素は、装着サポート部の一部、針または支持部の高さに設けられた１つまたは複数のスタッド、針の余分な厚み等、であってもよい。
【００５８】
別の実施形態において、本考案は、動物識別用具を備える動物識別システムに関し、
該動物識別用具は、上述の雄部品と、雄部品のロックヘッドを受け入れるように設計された空洞を備える雌部品と、上述の試料採取部材とを備える。
【００５９】
このシステムは、本考案による識別用具の雄部品または本考案による試料採取部材に関する種々の特徴を備える。これらの特徴は、組み合わせて採用することもできるし、個別に採用することもできる。したがって、このシステムの特徴および利点は、上述の雄部品および試料採取部材の特徴および利点と同じである。したがって、これらを更に詳細に説明することはしない。
【００６０】
本考案の他の構成および利点は、単なる説明のための非限定的な例として示される以下の特定実施形態の説明と添付図面とから更に明らかになるはずである。
【図面の簡単な説明】
【００６１】
【図１】本考案にしたがう動物識別用具の雄部品の第１の実施形態を示す。
【図２】図１による雄品に少なくとも部分的に挿入されるように設計された試料採取部材の例を示す。
【図３Ａ】第２の実施形態にしたがう動物識別システムの種々の要素を示す。
【図３Ｂ】第２の実施形態にしたがう動物識別システムの種々の要素を示す。
【図３Ｃ】第２の実施形態にしたがう動物識別システムの種々の要素を示す。
【図３Ｄ】第２の実施形態にしたがう動物識別システムの種々の要素を示す。
【図４Ａ】本考案の第３の実施形態にしたがう動物識別用具の雌部品と試料採取部材とを示す。
【図４Ｂ】本考案の第３の実施形態にしたがう動物識別用具の雌部品と試料採取部材とを示す。
【図４Ｃ】本考案の第３の実施形態にしたがう動物識別用具の雌部品と試料採取部材とを示す。
【図４Ｄ】本考案の第３の実施形態にしたがう動物識別用具の雌部品と試料採取部材とを示す。
【図４Ｅ】本考案の第３の実施形態にしたがう動物識別用具の雌部品と試料採取部材とを示す。
【図４Ｆ】本考案の第３の実施形態にしたがう動物識別用具の雌部品と試料採取部材とを示す。
【考案を実施するための形態】
【００６２】
本考案の一般原則は、動物組織の試料を採取して識別用具を装着するための作業中に雄部品をその縦軸に沿って剛直または硬直させるために使用される動物識別用具の雄部品を一時的に硬直させることに依拠するものである。
【００６３】
本考案によるそのような硬直手段は、ロックヘッドからシャフトベースへ向かうシャフトの縦軸に沿ったシャフトの変形を防止するように構成されている。
【００６４】
このように、タグが付けられるときに雄部品のシャフトは全くまたは殆ど変形しない。これにより、雄部品と雌部品の間の嵌合不良の危険も、シャフトに「折れ曲がり」があることに起因する不満足な耳の治癒が回避される。
【００６５】
この硬直が一時的なものであることに注意されたい。このように、シャフトのベースおよび雄部品の本体は、変形可能な材料で作ることができる。したがって、動物組織の試料の採取／識別用具の装着のための作業中はシャフトが補強されて縦軸に沿ったシャフトの変形を防止する。いったんタグが付けられると、シャフトのベースおよびシャフトの本体は通常圧力下で容易に変形するので、例えばフェンスまたは同様の場所にタグが引っかかったときに動物の耳が裂傷する危険が防止される。
【００６６】
図１を参照すると、本考案による雄部品の第１の実施形態が示されている。
【００６７】
そのような雄部品は、例えば、動物の耳の第１の面に当たるように設計された、ベース１１から垂直に（または略垂直に）延出するシャフト１２を備えている。そのようなシャフト１２は、本体１２１とロックヘッド１２２を有する。本体１２１は、慣例的に円筒状または円錐台形である。ヘッド１２２は、慣行にしたがって切頭先端または切頭円錐の形状である。そのベース１２３において、動物に識別用具が装着されるときに雌部品の空洞に雄部分のヘッドを固定するために使用される肩部の特徴をヘッド１２２が画定する。
【００６８】
本考案によれば、動物組織試料採取部材の通過を可能にする縦軸方向のチャネルがシャフト１２の端から端まで貫通していると考えられる。
【００６９】
本考案によれば、シャフト１２は、その縦軸方向の感触を硬直させるのに使用される硬直手段を備え、該硬直手段は、シャフトの中央とヘッドの遠位先端１２４との間に位置し且つチャネル内に突出する少なくとも１つの当接要素を含む。当接要素１３は、例えば、動物組織試料が採取されるときに、試料採取部材の少なくとも１つの支承要素を載せることができる支承領域を画成するつま先部の形態をとる。
【００７０】
このように、シャフトベース１１よりもシャフトの先端１２４に近い支承領域が画成され、したがって、タグ装着／試料採取のための作業中のシャフト長の圧縮は減少するか、または、無くなりさえする。
【００７１】
さらに具体的には、シャフトがシャフトベース１１とヘッドの遠位先端１２４との間の長さＬを有する場合、１つまたは複数の当接要素１３は、シャフトベース１１から等距離にあり、シャフトベース１１から少なくともＬ／２の距離にある。１つまたは複数の当接要素は、ロックヘッドの遠位先端１２４から最大距離Ｌ／１０に位置することが好ましい。
【００７２】
このようにして、主としてまたは全部が変形可能な材料から作られた雄型部品を使用することができ、したがって、識別タグが引っかかることに関連する耳の引裂の問題が防止される。
【００７３】
試料は、図２に示される試料採取部材を図１に示される雄部品の縦軸方向のチャネルに挿入することによって採取できる。
【００７４】
例えば、そのような試料採取部材は、
−ほぼ円形の切断リッジを有する遠位先端２１１を有し、試料を採取するために動物の組織を穿刺するように意図された、例えば生検針タイプの試料採取要素２１と、
−試料採取およびタグ装着作業の際に針を取り扱うことができ且つにタグ装着ツールの顎部にしっかり装着できるようにする、例えば剛性プラスチックで作られた装着支持体２２と、
−場合によっては、試料が採取されると針２１の中に並行に案内されて、採取された試料を針２１から押し出すことができるプッシャー要素２３と、
を備える。
【００７５】
本考案よれば、そのような試料採取部材は、雄部品の当接要素１３と相補形をなす支承要素２４を少なくとも１つ備える。詳細には、試料採取部材の１つ又は複数の支承要素２４と試料採取用の遠位先端２１１との間の距離Ｄは、１つ又は複数の支承要素２４が１つまたは複数の当接要素１３に当たっているときに試料採取用の遠位先端がシャフト１２を越えて突出するように定められる。
【００７６】
このように、タグを付けて組織試料を採取するときに、標本採取部材が組織を切り取って保持する操作を行うことができる。また、試料採取部材の支承要素が雄部品の当接要素に当接すると、試料採取部材が雄部品に力を伝達して、ロックヘッド１２２を雌部品に挿入することができる。
【００７７】
ここで、図３Ａ〜図３Ｃを参照して、本考案の第２の実施形態を示す。
【００７８】
この第２の実施形態によれば、雄部品３０は、ベース３１から延出するシャフト３２を備える。シャフトは、本体３２１とヘッド３２２を備える。シャフト３２の縦軸方向チャネルは、異なる区画を有するほぼ円筒状で同心の２つの部分３４および３５を備える。詳細には、区画が異なる部分３４および３５の間の移行領域３３は、動物組織の試料採取時に組織採取部材の少なくとも１つの支承要素を支える支承領域を形成する当接要素を画成する。
【００７９】
さらに具体的には、シャフトベース３１と移行領域３３との間に位置する第１の部分３４は、移行領域３３とヘッド３２４の遠位先端との間に位置する第２の部分３５の第２の直径よりも厳密に大きい第１直径を有する円形部分を有する。
【００８０】
例えば、第１の直径は約３．６ｍｍであり、第２の直径は約５．６ｍｍである。
【００８１】
従って、移行領域３３は、試料採取部材の少なくとも１つの支支承要素が支えることができる冠部を画成する。
【００８２】
繰り返すが、Ｌがシャフトの全長を表す場合、区画が異なる部分３４と３５との間の移行領域３３は、シャフトベース３１から少なくともＬ／２に等しい距離に位置している必要がある。区画が異なる部分３４と３５との間の移行領域３３は、ヘッドの遠位先端３２４から最大距離Ｌ／１０に位置することが好ましい。
【００８３】
詳細には、第１および第２の部分でシャフトの本体３２１を形成する材料の厚さｅは実質的に一定であり、例えば１ｍｍ程度である。
【００８４】
このように、シャフトの本体３２１の外側シースは、縦軸方向のチャネルの形状に従う。
【００８５】
図３Ｄに示される一変形例では、シャフトベースから雄部品のロックヘッドへ向かって、移行領域の前に位置する部分のシャフトの本体を形成する材料のｅ１で示される厚さは、移行領域の後に位置する部分のシャフトの本体をその高さで形成する材料のｅ２で示される厚さよりも小さい、
【００８６】
このように、シャフトの本体３２１の外側シースは、縦軸方向のチャネルの形状に従う。図３Ｂは、上述したような雄部品３０と、雌部品３６と、試料採取部材３７とを含む、本考案による識別システムのより正確な図を提供する。
【００８７】
そのような試料採取部材３７は、生検針タイプの針３７１と、装着サポート部３７２と、必要であれば、プッシャー要素３７３と、支承要素３７４とを備える。
【００８８】
雌部品３６は、雄部品３０のロックヘッド３２２を導入する空洞３６１を有する受入れキャップを備えている。特に、雌部品３６は、雌部品の入口穴に保持リング３６２を有する。このような保持リング３６２は、例えば、ロックヘッドを雌部品の空洞に挿入するために使用される、ロックヘッドの離脱を防止する可撓性のストリップを有する。
【００８９】
タグが付けられて試料が採取されるとき、針３７１が周囲の接触線に沿って動物の皮膚を穿刺し、その後、雄部品のシャフトのロックヘッド３２２を雌部品の受け入れキャップに案内して雄部品３０と雌部品３６を嵌め合わせる。
【００９０】
雄部品３０の寸法は、試料採取部材が縦軸方向のチャネルに挿入されて、移行領域３３によって画成される支承領域に支承要素３７４が当接するときに、中空針３７１の先端がシャフト３２の先端３２４から突出して動物から組織を切り取るような寸法である。
【００９１】
このようにして試料採取／タグ装着中の雄部品のシャフト３２の剛性が保証される。
【００９２】
特に、ロックヘッド（ヘッドのベース３２３または遠位先端３２４）と移行領域３３との間の距離は、雄部品と雌部品が嵌めあわされるときに、シャフトの本体を形成する移行領域の材料が雌部品のベースと当接するようになっている。したがって、雄シャフトの本体３２１は、ロックヘッドのベース３２３と移行領域３３との間にブロック領域を画成し、それによって保持リング３６２をブロックしてタグの信頼性強化を可能にする。
【００９３】
いったんタグが付けられると、シャフト３２からスライドさせることによって試料採取部材３７を引っ込めることができ、針３７１の中にある組織試料３８を回収することができる。
【００９４】
特に、図３Ｃに示すように、組織試料３８を保持している針３７１を試料チューブ３９に導入することができる。細いロッド（例えば、タグ装着ツールロッド）がプッシャー要素３７３を押すことによって、針３７１から組織試料３８が取り出すことができる。
【００９５】
以下、図４Ａ〜図４Ｆを参照して、これは上述の実施形態と組み合わせることができる本考案の第３の実施形態を示す。
【００９６】
この実施形態によれば、雄部品４０のシャフト４２の縦軸方向のチャネルは、区画が異なる連続する３つの部分４４、４５、および４６を有する。第１の部分４４は実質的に円錐台の形状を有する。第２の部分４５および第３の部分４６は、実質的に円筒形である。３つの部分４４、４５、および４６は同心である。
【００９７】
詳細には、第２の部分４５と第３の部分４６の間の移行領域４３は、動物組織の試料採取時に組織採取部材の少なくとも１つの支承要素を支える冠状の支承領域を形成する当接要素を画成する。
【００９８】
このような移行領域４３は、シャフトの本体４２１とシャフトのヘッド４２２の間の移行部にあるロックベッドのベース４２３に位置する。したがって、Ｌがシャフトの全長であるとき、シャフトベース４１に対してＬ／２より大きい距離に移行領域が配置される。すなわち、支承領域はシャフトの先端４２４に可能な限り近接して配置される。
【００９９】
更に具体的には、この実施形態によれば、ロックヘッド４２２は、シャフトの本体４２１を形成する材料の硬度よりも大きい硬度を有するインサート４２５を備える。例えば、このようなインサート４２５は、ショアＤスケールで約５０〜７０の硬度を有する金属インサートまたはプラスチックインサートとすることができ、シャフトの本体４２１およびシャフトベース４１は、ショアＤスケールで約４２〜５５の硬度を有する。．
【０１００】
このようなインサート４２５は、例えば、縦軸方向のチャネルが端から端まで貫通している切頭円錐の形状をとる。そのような円錐の底部の一部が移行領域４３を画成する。
【０１０１】
特に、図４Ｃに示すように、このようなインサートは、雄部品の成形中にシャフトを作るために使用される材料が流入することができる少なくとも１つの凹部４２５１を含む。このようにして、インサートはシャフトに完全に取り付けられる。このように、インサートをシャフトに取り付けることが好ましい。
【０１０２】
また、このようなインサートを使用することで、雄型部品が雌型部品に挿入されると、ヘッド４２２は雌型部品内に確実に適正に保持される。
【０１０３】
図４Ｄは、雄部品４０に挿入された第１の例の試料採取部材を示す。そのような試料採取部材は、生検針タイプの針４７１と、装着サポート部４７２と、プッシャー要素４７３と、支承要素４７４とを備える。
【０１０４】
図４Ｄに示されている例によれば、針４７１は２つの円筒状部分を有し、第１の部分は外径φ１の円形の断面を備え、第２の部分は外径φ２の円形の断面を有する（φ１＞φ２）。第１の部分と第２の部分との間の移行領域は、支承要素４７４を画成する。
【０１０５】
そのような支承要素４７４は、雄部分の当接要素４３と相補形をなす。そのため、インサート４２５は、針を支持できる固い肩部を形成する。
【０１０６】
詳細には、支承要素４７４と針４７１の遠位先端との間の距離Ｄは、支承要素４７４が当接要素４３上に載っているときに、針４７１の遠位先端がシャフト４２を越えて突出するように定められる。
【０１０７】
このようにして、試料採取部材は、雌部品へのロックヘッド４２２の挿入時に組織を切り取って保持するための動作を実施する。
【０１０８】
図４Ｅ〜４Ｆは、単独または雄部品４０に挿入された試料採取部材の第２の例を示す。
【０１０９】
第２の実施形態によれば、試料採取部材は、生検針タイプの針５７１と、装着サポート部５７２と、プッシャー要素５７３と、支承要素５７４とを備える。
【０１１０】
この第２の例によれば、支承要素５７４は、針５７１にしっかり取り付けられるリングの形をとる。このようなリングは、高さが（数ミクロンから数ミリ程度）変化するリングとすることができる。これは単純なワイヤ、はんだビーズ、中空円筒などとすることができる。このようなリングは、その高さに沿って全部に分割することも可能である。
【０１１１】
例えば、このようなリングは、接着、はんだ付け、クリッピングなどによって針５７１に保持することができる。このリングが弾性リングタイプ（例えばＣｉｒｃｌｉｐ（登録商標））またはスプリングリングであれば、試料採取部材に形成された溝または穴にも挿入できる。
【０１１２】
そのような支承要素５７４は、雄部分の当接要素４３と相補形をなす。このようにして、針５７１にしっかり固定されたリングは、インサート４２５に当たって支持する。
【０１１３】
詳細には、支承要素５７４と針５７１の遠位先端との間の距離Ｄは、支承要素５７４が当接要素４３上に載っているときに、針５７１の遠位先端がシャフト４２から突出するように定められる。
【０１１４】
このように、試料採取部材は、雌部品へのロックヘッド４２２の挿入時に組織を切り取って組織を保持するための操作を実施できる。
【０１１５】
試料採取部材の２つの例は、図４Ａ〜図４Ｃを参照して説明したもの以外の雄部品、特にインサートを有しない雄部品、と組み合わせて使用できることに留意されたい。
【０１１６】
さらに、試料採取部材の１つまたは複数の支承要素および／または雄部品の当接要素は、必ずしもクラウン形状でなくてもよいことに留意されたい。図１に示されるように、これらの要素は、１つ以上のつま先部、または支承／当接機能を果たすことができる他の任意の要素、を含むことができる。別の例によれば、これらの要素は、弾性リング（例えばＣｉｒｃｌｉｐ（登録商標）タイプのもの）またはばねリングの形態をとることができる。
【０１１７】
示された実施形態では、試料採取部材は生検針を備えることにも留意されたい。上に示したように、それは一実施形態にすぎず、例えば組織に穿刺できる先端で終端する細いロッドなど、別の試料採取要素を使用することも可能である。
【０１１８】
最後に、想定される実施形態にかかわらず、雄部分のベースは、いくつかの形態を取ることができることに留意されたい。例えば、このベースは、円板の形をとることもできるし、マーキング面を画成する延長部を含むことができる。従って、支持体は、タグが付ける動物の種類に応じてもっと大きくしたり、もっと小さくしたりすることができる。このマーキング面は、特に、アルファベット、数字またはバーコードの形態の表示の形をとる視覚的識別手段によって動物の識別を可能にする。電子識別手段などの他の識別手段も考えられる。
【０１１９】
当然のことながら、異なる実施形態は、純粋に例示として示されているのであり、網羅的なものではない。詳細には、想定される様々な実施形態を組み合わせることが可能である
【図１】
0003215824.tif 000003
【図２】
0003215824.tif 000004
【図３Ａ】
0003215824.tif 000005
【図３Ｂ】
0003215824.tif 000006
【図３Ｃ】
0003215824.tif 000007
【図３Ｄ】
0003215824.tif 000008
【図４Ａ】
0003215824.tif 000009
【図４Ｂ】
0003215824.tif 000010
【図４Ｃ】
0003215824.tif 000011
【図４Ｄ】
0003215824.tif 000012
【図４Ｅ】
0003215824.tif 000013
【図４Ｆ】
0003215824.tif 000014
【手続補正書】
【提出日】平成30年2月9日(2018.2.9)
【手続補正１】
【補正対象書類名】実用新案登録請求の範囲
【補正対象項目名】全文
【補正方法】変更
【補正の内容】
【実用新案登録請求の範囲】
【請求項１】
動物を識別するための識別用具と、動物組織試料採取部材とを備える動物識別システムであって、
前記識別用具は、ベース（１１；４１）から延出し、雌部品に挿入して前記識別用具を動物にしっかり取り付けるように設計されたロックヘッド（１２２；４２２）で終端するシャフト（１２；４２）を備え、前記シャフトには、前記動物組織試料採取部材を通すことができる縦軸方向のチャネルが貫通しており、
前記シャフト（１２；４２）は、前記シャフトの中央と前記ヘッドの遠位先端との間に位置し且つ前記チャネル内に突出する少なくとも１つの当接要素（１３；４３）を備え、前記少なくとも１つの当接要素は、動物組織の試料が採取されるときに前記試料採取部材の少なくとも１つの支承要素を支えることができる支承領域を画成し、
前記試料採取部材は、雄部品の前記少なくとも１つの当接要素と相補形をなす少なくとも１つの前記支承領域を備え、
前記試料採取部材の前記少なくとも１つの支承要素と前記遠位先端の間の距離は、前記少なくとも１つの支承要素が前記少なくとも１つの当接要素に当たるときに試料採取用の前記遠位先端が前記雄部品の前記シャフトから突出するように定められている
ことを特徴とする動物識別システム。
【請求項２】
前記シャフトの本体が、少なくとも部分的に変形可能な材料で作られることを特徴とする請求項１に記載の動物識別システム。
【請求項３】
前記チャネルは、異なる区画を有する少なくとも２つの部分を備え、前記少なくとも１つの当接要素は、前記異なる区画を有する部分の間の移行領域に対応することを特徴とする請求項１および２のいずれか一方に記載の動物識別システム。
【請求項４】
前記異なる区画が円筒状で同心であることを特徴とする請求項３に記載の動物識別システム。
【請求項５】
前記異なる区画を有する部分の前記シャフトの本体を形成する材料の厚さがほぼ一定であることを特徴とする請求項３および４のいずれか一方に記載の動物識別システム。
【請求項６】
前記ヘッドと前記移行領域との間の距離は、前記雄部品と前記雌部品が嵌めあわされるときに、前記シャフトの本体を形成する前記移行領域の材料が前記雌部品の前記ベースと当接するような距離であることを特徴とする請求項５に記載の動物識別システム。
【請求項７】
前記ヘッドは、前記シャフトの本体を形成する材料の硬度よりも大きい硬度を有するインサートを備えることを特徴とする請求項１〜６のいずれか１項に記載の動物識別システム。
【請求項８】
前記インサートが切頭円錐であり、前記切頭円錐の底部の一部が前記少なくとも１つの当接要素を画成することを特徴とする請求項７に記載の動物識別システム。
【請求項９】
前記インサートが少なくとも１つの凹部を備えることを特徴とする請求項７および８のいずれか一方に記載の動物識別システム。
【請求項１０】
前記支承要素が前記試料採取部材の針にしっかり取り付けられたリングであることを特徴とする請求項１〜９のいずれか１項に記載の動物識別システム。